(57)【要約】【課題】  設置が容易で高い強度有する太陽光発電装置の提供【解決手段】  太陽光発電装置１００は、太陽光発電パネル１０１及びパネル載置架台１０３を有している。パネル載置架台１０３は、足場パイプである単管を組み合わせて形成されている。パネル載置架台１０３は、基礎部材１０３ａ、柱部材１０３ｂ、及び接続部材１０３ｃを有している。接続部材１０３ｃは、隣接する柱部材１０３ｂを接続している。また、接続部材１０３ｃは、基礎部材１０３ａに内包されている。つまり、接続部材１０３ｃは、基礎形成用溝の内部で、柱部材１０３ｂの下部を接続する。このように、隣接する柱部材１０３ｂを接続する接続部材１０３ｃを基礎部材１０３ａに内包させることによって、柱部材１０３ｂと基礎部材１０３ａとを強固に一体とできる。これにより、パネル載置架台１０３に太陽光発電パネル１０１を載置した際の強度、特に風荷重に対する強度を上げることができる。【選択図】  図１
2014031627.tif 000002
【特許請求の範囲】
【請求項１】
太陽光発電パネル及び前記太陽光発電パネルを載置するパネル載置部材を有する太陽光発電装置であって、
前記パネル載置部材は、
基礎部材、
複数の柱部材、
隣接する前記柱部材を接続し、前記基礎部材に内包される接続部材、
を有する太陽光発電装置。
【請求項２】
請求項１に係る太陽光発電装置において、
前記柱部材は、
足場パイプであること、
を特徴とする太陽光発電装置。
【請求項３】
請求項１又は請求項２に係る太陽光発電装置において、
前記接続部材は、
足場パイプであること、
を特徴とする太陽光発電装置。
【請求項４】
太陽光発電パネルを載置する太陽光発電パネル載置装置であって、
基礎部材、
複数の柱部材、
隣接する前記柱部材を接続し、前記基礎部材に内包される接続部材、
を有する太陽光発電パネル載置装置。
【請求項５】
太陽光発電パネル及び前記太陽光発電パネルを載置する太陽光発電パネル載置架台であって、基礎部材、柱部材及び接続部材を有する太陽光発電パネル載置架台を有する太陽光発電装置を施工する太陽光発電装置の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込んで前記太陽光発電パネル載置架台を生成し、
生成した前記太陽光発電パネル載置架台に前記太陽光発電パネルを載置すること、
によって前記太陽光発電装置を施工する太陽光発電装置の施工方法。
【請求項６】
太陽光発電パネルを載置する太陽光発電パネル載置架台であって、基礎部材、柱部材及び接続部材を有する太陽光発電パネル載置架台を施工する太陽光発電パネル載置架台の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込むこと、
によって前記太陽光発電パネル載置架台を施工する太陽光発電パネル載置架台の施工方法。
【発明の詳細な説明】
【技術分野】
【０００１】
本発明は、太陽光発電装置に関し、特に、基礎部材を有するものに関する。
【背景技術】
【０００２】
従来の太陽光発電パネル載置装置の一つである太陽電池パネル架台ユニット１０について図５を用いて説明する。太陽電池パネル架台ユニット１０は、図１の通り地盤上に配置された基礎ブロック１と、基礎ブロック上に配置された支柱２と、支柱の上端に接続されたフレーム材３とから主に構成される。
【０００３】
基礎ブロック１は地盤上に三つ配置され、フレーム材３はそれぞれの基礎ブロック１を頂点とする三角形を形成して太陽電池パネル５を支持する。
【０００４】
基礎ブロック１の大きさは、太陽電池パネル架台ユニット１０が風荷重等で転倒しないように一定の大きさ（重量）を確保する必要がある。基礎ブロック１の材質は特に限定されないが、一定の重量のブロックを安価に施工できる点から鉄筋コンクリート製が好適に用いられる。
【０００５】
支柱２は、基礎ブロック上に鉛直方向に配置され、フレーム材３に傾斜を与える。  支柱２の材質は特に限定されないが、高強度かつ軽量であることから、鋼管やアルミパイプが好適に用いられる。図２（ｂ）の通り、基礎ブロック１と支柱２とは、基礎ブロック１と支柱２の下端部２ａとを貫通するアンカー８で固定されるのが一般的である。
【０００６】
フレーム材３にはＨ形鋼や角形鋼など、平坦な面がある鋼材が好適に用いられる。その平坦な面が上向きになるように支柱２の上端に固定される。フレーム材３と支柱２とは、図２（ｂ）の通りネジやピン等の固定具９により剛結される。その他、溶接により固定してもよい。（特許文献１）
【先行技術文献】
【特許文献】
【０００７】
【特許文献１】特開２０１１−７７１９４号公報
【発明の概要】
【発明が解決しようとする課題】
【０００８】
前述の太陽電池パネル架台ユニット１０には、以下に示すような改善すべき点がある。基礎ブロック１は、支柱２に対して個別に形成される。また、基礎ブロック１と支柱２とは、アンカー８で固定される。アンカー８によって基礎ブロック１と支柱２とを固定しただけでは、場合によっては、太陽電池パネル架台ユニット１０に取り付けられた太陽電池パネル５が受ける風荷重に耐えられない、という改善すべき点がある。
【０００９】
また、基礎ブロック１が支柱２に対して個別に形成されるため、太陽電池パネル架台ユニット１０の施工が煩雑になる、という改善すべき点がある。
【００１０】
そこで、本発明は、施工が容易で高い強度有する太陽光発電装置を提供することを目的とする。
【発明の効果】
【００１１】
本発明における課題を解決するための手段及び発明の効果を以下に示す。
【００１２】
本発明に係る太陽光発電装置は、太陽光発電パネル及び前記太陽光発電パネルを載置するパネル載置部材を有する太陽光発電装置であって、前記パネル載置部材は、基礎部材、複数の柱部材、隣接する前記柱部材を接続し、前記基礎部材に内包される接続部材、を有する。
【００１３】
これにより、基礎部材と柱部材とを強固に一体にできる。よって、太陽光発電装置の強度、特に風荷重に対する強度を上げることができる。
【００１４】
本発明に係る太陽光発電装置では、前記柱部材は、足場パイプであること、を特徴とする。
【００１５】
これにより、低コストな太陽光発電装置を提供することができる。
【００１６】
本発明に係る太陽光発電装置において、前記接続部材は、足場パイプであること、を特徴とする。
【００１７】
これにより、低コストな太陽光発電装置を提供することができる。
【００１８】
本発明に係る太陽光発電パネル載置装置は、太陽光発電パネルを載置する太陽光パネル載置装置であって、基礎部材、複数の柱部材、隣接する前記柱部材を接続し、前記基礎部材に内包される接続部材、を有する。
【００１９】
これにより、基礎部材と柱部材とを強固に一体にできる。よって、太陽光発電パネル載置装置に太陽光発電パネルを載置した際の強度、特に風荷重に対する強度を上げることができる。
【００２０】
本発明に係る太陽光発電装置の施工方法は、太陽光発電パネル及び前記太陽光発電パネルを載置する太陽光発電パネル載置架台であって、基礎部材、柱部材及び接続部材を有する太陽光発電パネル載置架台を有する太陽光発電装置を生成する太陽光発電装置の施工方法であって、前記基礎部材を形成するために地面に形成された基礎形成用溝に沿って前記柱部材を配置し、前記基礎形成用溝の内部において、隣接する前記柱部材を前記接続部材で接続し、前記基礎形成用溝に所定のコンクリートを流し込んで前記パネル載置架台を生成し、生成した前記太陽光発電パネル載置架台に前記太陽光発電パネルを載置すること、によって前記太陽光発電装置を施工する。
【００２１】
これにより、基礎部材と柱部材とを強固に一体にできる。よって、高い強度、特に風荷重に対する高い強度を有する太陽光発電装置を簡単な作業で容易に設置することができる。
【００２２】
本発明に係る太陽光発電パネル載置架台の施工方法は、太陽光発電パネルを載置する太陽光発電パネル載置架台であって、基礎部材、柱部材及び接続部材を有する太陽光発電パネル載置架台を施工する太陽光発電パネル載置架台の施工方法であって、前記基礎部材を形成するために地面に形成された基礎形成用溝に沿って前記柱部材を配置し、前記基礎形成用溝の内部において、隣接する前記柱部材を前記接続部材で接続し、前記基礎形成用溝に所定のコンクリートを流し込むこと、によって前記太陽光発電パネル載置架台を施工する。
【００２３】
これにより、基礎部材と柱部材とを強固に一体にできる。よって、太陽光発電パネルを載置した際に、高い強度、特に風荷重に対する強度を有するパネル載置架台を簡単な作業で容易に設置することができる。
【図面の簡単な説明】
【００２４】
【図１】本発明に係る太陽光発電装置の一実施例である太陽光発電装置１００の構造を示す斜視図である。
【図２】太陽光発電装置１００の製造方法を示す図である。
【図３】太陽光発電装置１００の製造方法を示す図である。
【図４】太陽光発電装置１００の製造方法を示す図である。
【図５】従来の太陽光発電装置を示す図である。
【発明を実施するための形態】
【００２５】
以下、本発明の実施例について、図面を参照しながら詳細に説明していく。
【実施例１】
【００２６】
第１  構成
本発明の一実施例に係る太陽光発電装置１００の構成について図１を用いて説明する。太陽光発電装置１００は、太陽光発電パネル１０１及びパネル載置架台１０３を有している。太陽光発電パネル１０１は、複数の太陽電池を並べて相互接続し、パネル状にしたものである。太陽光発電パネル１０１に用いられる太陽電池としては、シリコンを用いるもの（シリコン系）であっても、化合物を用いるもの（化合物系）であってもよい。また、シリコン系の太陽電池としては、結晶シリコンを用いるもの（結晶系）であっても、アモルファスシリコンを用いるもの（アモルファス系）であってもよい。さらに、結晶系の太陽電池としては、単結晶シリコンを用いるものであっても、多結晶シリコンを用いるものであってもよい。さらに、化合物系の太陽電池としては、ＧａＡＳ等の単結晶を用いるもの（単結晶系）であっても、ＣｄＳ、ＣｄＴｅ、ＣｕｌｎＧａＳｅ２等を用いるもの（多結晶系）であってもよい。
【００２７】
パネル載置架台１０３は、足場パイプである単管を組み合わせて形成されている。パネル載置架台１０３は、単管の組合せにより形成される太陽光発電パネル載置面Ｐ１０３に沿って、太陽光発電パネル１０１を載置する。なお、図１においては、太陽光発電パネル載置面Ｐ１０３の一部に太陽光発電パネル１０１が載置されている状態を示している。
【００２８】
また、パネル載置架台１０３は、基礎部材１０３ａ、柱部材１０３ｂ、及び接続部材１０３ｃを有している。基礎部材１０３ａは、コンクリートにより形成されている。基礎部材１０３ａは、地面に形成する基礎形成用溝（後述）にコンクリートを流し込むことによって形成される。したがって、基礎部材１０３ａは、地中に位置する。なお、図１においては、基礎部材１０３ａの内部構造を明らかにするために、基礎部材１０３ａのコンクリートを透過状態として記載している。
【００２９】
柱部材１０３ｂは、断面環状の単管により形成されている。柱部材１０３ｂは、基礎部材１０３ａに固定されている。柱部材１０３ｂは、所定間隔で、複数、配置される。
【００３０】
接続部材１０３ｃは、単管により形成されている。接続部材１０３ｃは、隣接する柱部材１０３ｂを接続している。また、接続部材１０３ｃは、基礎部材１０３ａに内包されている。つまり、接続部材１０３ｃは、基礎形成用溝の内部で、柱部材１０３ｂの下部を接続する。
【００３１】
このように、隣接する柱部材１０３ｂを接続する接続部材１０３ｃを基礎部材１０３ａに内包させることによって、柱部材１０３ｂと基礎部材１０３ａとを強固に一体とできる。これにより、パネル載置架台１０３に太陽光発電パネル１０１を載置した際の強度、特に風荷重に対する強度を上げることができる。
【００３２】
また、隣接する柱部材１０３ｂを接続部材１０３ｃによって接続するので、柱部材１０３ｂを精度よく直線状に配置できる。さらに、隣接する柱部材１０３ｂを、精度よく予め定めた所定の間隔で配置できる。これにより、柱部材１０３ｂの上部に単管を組み合わせてパネル載置面Ｐ１０３を形成する際に発生する調整作業を少なくできるので、太陽光発電装置１００の設置作業を簡単にできるとともに、設置時間を短縮することができる。
【００３３】
さらに、パネル載置架台１０３を足場パイプである単管により形成しているため、低コストで太陽光発電装置１００を設置できる。また、足場パイプ及び足場パイプにより形成される構造物には予め必要とされる強度が規定されているため、足場パイプにより形成されるパネル載置架台１０３は、十分な強度を有している。
【００３４】
なお、足場パイプで組み上げられた構造物は一時的な構造物として施工される一方、基礎部材１０３ａは恒久的に構造物として施工される。このため、足場パイプで組み上げられた一時的な構造物と、恒久的な構造物である基礎部材１０３ａとを一体とするとの発想は生まれてこなかった。太陽光発電装置１００では、一時的な構造物と恒久的な構造物とを一体とすることによって、施工コストの低減を実現するとともに、施工の簡略化を実現している。
【００３５】
第２  太陽光発電装置１００の設置方法
次に、太陽光発電装置１００の設置方法について図２〜図４を用いて説明する。図２Ａに示すように、太陽光発電装置１００を設置する施工者は、地面に基礎部材１０３ａを形成するコンクリートを流し込むための基礎形成用溝Ｄを形成する。ここで、施工者は、一の太陽光発電装置１００に対して基礎形成用溝Ｄを、２本、平行に形成する。なお、基礎形成用溝Ｄの形状については、特に限定されないが、一般的には、断面がほぼ矩形状である。
【００３６】
次に、図２Ｂに示すように、施工者は、形成した基礎形成用溝Ｄに、所定の厚さで砕石を敷き砕石層Ｓを形成する。さらに、施工者は、砕石層Ｓに転圧する。なお、図２Ｂは、図２Ａに示す基礎形成用溝Ｄの側面に沿って基礎形成用溝Ｄの内部を見た断面の一部を示している。
【００３７】
図３Ａに示すように、施工者は、基礎形成用溝に沿って柱部材１０３ｂを配置し、パネル載置架台１０３を形成する。図３Ａで形成するパネル載置架台１０３を図３Ｂに示す。パネル載置架台１０３は。
【００３８】
また、図４Ａに示すように、施工の際、施工者は、柱部材１０３ｂ一端面ＰＥが基礎形成用溝Ｄの砕石層Ｃの上面ＰＵに頭接するように配置する。また、施工者は、基礎形成用溝Ｄの内部に接続部材１０３ｃが位置するように、接続部材１０３ｃを用いて隣接する柱部材を接続する。このように基礎形成用溝Ｄの内部に接続部材１０３ｃを位置させることによって、接続部材１０３ｃが、基礎部材１０３ａの内部に位置することとなる。これにより、パネル載置架台１０３と基礎部材１０１とを強固に一体にできる。よって、パネル載置架台１０３に太陽光発電パネル１０１を載置した際の太陽光発電装置１００の強度、特に風荷重に対する強度を上げることができる。
【００３９】
パネル載置架台１０３では、一本の接続部材１０３ｃに、三本以上の柱部材１０３ｂが接続されている。
【００４０】
そして、施工者は、柱部材１０３ｂの上部に、太陽光発電パネル１０１を取り付けるために単管を組合せてパネル載置面Ｐ１０３を形成する。
【００４１】
次に、図４Ｂに示すように、施工者は、基礎形成用溝Ｄの内部にコンクリートを流し込む。コンクリートに対する所定の養生期間が経過すると、基礎部材１０３ａが形成される。その後、基礎部材１０３ａを所定の土で覆う。以上によって、パネル配置架台１０３が形成される。
【００４２】
その後、施工者は、パネル配置架台１０３に、太陽光発電パネル１０１を取り付ける。合わせて、所定位置への変圧装置等、他の必要な装置（図示せず）の配置、必要な配線（図示せず）を行う。
【００４３】
以上によって、太陽光発電装置１００を形成する。なお、太陽光発電装置１００の形成にあたって、柱部材１０３ｂ、接続部材１０３ｃの接続や、パネル配置架台１０３への太陽光発電パネル１０１の取り付けは、一般的に用いられている接続ジョイント、接続ボルト等の接続器具を用いる。
【００４４】
［その他の実施例］
（１）柱部材１０３ｂ、接続部材１０３ｃ：前述の実施例１においては、柱部材１０３ｂ、接続部材１０３ｃは断面環状の足場パイプである単管を用いるとしたが、柱部材、接続部材として機能するものであれば例示のものに限定されない。例えば、断面矩形の環状部材を用いるようにしてもよい。
【００４５】
（２）パネル載置架台１０３：前述の実施例１においては、パネル載置架台１０３は足場パイプである単管を用いて形成されるとしたが、さらに、単管以外の部材を補助的に用いるようにしてもよい。例えば、山形鋼、溝型鋼、Ｈ形鋼、Ｉ型鋼や、特別に設計された部材等を用いるようにしてもよい。
【産業上の利用可能性】
【００４６】
本発明は、例えば、野外に設置する太陽光発電装置として利用できる。
【符号の説明】
【００４７】
１００      太陽光発電装置
１０１      太陽光発電パネル
１０３      パネル載置架台
１０３ａ  基礎部材
１０３ｂ  柱部材
１０３ｃ  接続部材
Ｐ１０３  パネル載置面Ｐ１０３
Ｄ          基礎形成用溝
Ｃ          砕石層
【図１】
2014031627.tif 000003
【図２】
2014031627.tif 000004
【図３】
2014031627.tif 000005
【図４】
2014031627.tif 000006
【図５】
2014031627.tif 000007
【手続補正書】
【提出日】平成24年11月23日(2012.11.23)
【手続補正１】
【補正対象書類名】特許請求の範囲
【補正対象項目名】全文
【補正方法】変更
【補正の内容】
【特許請求の範囲】
【請求項１】
太陽光発電パネル及び前記太陽光発電パネルを載置する太陽光発電パネル載置架台であって、基礎部材、足場パイプにより形成される柱部材及び足場パイプにより形成される接続部材を有する太陽光発電パネル載置架台を有する太陽光発電装置を、前記柱部材を他の基礎部材に固定することなく施工する太陽光発電装置の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込んで前記太陽光発電パネル載置架台を生成し、
生成した前記太陽光発電パネル載置架台に前記太陽光発電パネルを載置すること、
によって前記太陽光発電装置を施工する太陽光発電装置の施工方法。
【請求項２】
請求項１に係る太陽光発電装置の施工方法により生成される太陽光発電装置。
【請求項３】
太陽光発電パネルを載置する太陽光発電パネル載置架台であって、基礎部材、足場パイプにより形成される柱部材及び足場パイプにより形成される接続部材を有する太陽光発電パネル載置架台を、前記柱部材を他の基礎部材に固定することなく施工する太陽光発電パネル載置架台の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込むこと、
によって前記太陽光発電パネル載置架台を施工する太陽光発電パネル載置架台の施工方法。
【請求項４】
請求項１に係る太陽光発電パネル載置架台の施工方法により生成される太陽光発電パネル載置架台。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
太陽光発電パネル及び前記太陽光発電パネルを載置する太陽光発電パネル載置架台であって、基礎部材、足場パイプにより形成される柱部材及び足場パイプにより形成される接続部材を有する太陽光発電パネル載置架台を有する太陽光発電装置を施工する太陽光発電装置の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込んで、前記接続部材をコンクリートに内包する基礎部材を形成し、
前記基礎部材上に前記太陽光発電パネル載置架台を生成し、
生成した前記太陽光発電パネル載置架台に前記太陽光発電パネルを載置すること、
によって前記太陽光発電装置を施工する太陽光発電装置の施工方法。
【請求項２】
請求項１に係る太陽光発電装置の施工方法により生成される太陽光発電装置。
【請求項３】
太陽光発電パネルを載置する太陽光発電パネル載置架台であって、基礎部材、足場パイプにより形成される柱部材及び足場パイプにより形成される接続部材を有する太陽光発電パネル載置架台を施工する太陽光発電パネル載置架台の施工方法であって、
前記基礎部材を形成するために地面に形成された基礎形成用溝に沿って前記柱部材を配置し、
前記基礎形成用溝の内部において、隣接する前記柱部材を前記接続部材で接続し、
前記基礎形成用溝に所定のコンクリートを流し込んで、前記接続部材をコンクリートに内包する基礎部材を形成し、
前記基礎部材上に前記太陽光発電パネル載置架台を生成すること、
によって前記太陽光発電パネル載置架台を施工する太陽光発電パネル載置架台の施工方法。
【請求項４】
請求項１に係る太陽光発電パネル載置架台の施工方法により生成される太陽光発電パネル載置架台。